(57)【要約】【課題】データモジュールと端末の制御装置と接続を、低コストで行うことを可能とし、端末等の制御装置に使用されるハードウェア内でＵＡＲＴリソースが足りなくなるようなことを防止する。【解決手段】ＣＤＭＡデータモジュール１１におけるＵＡＲＴ１のＴＸＤ、ＲＸＤの端子及びＵＡＲＴ２のＴＸＤ、ＲＸＤの端子と、端末の制御装置１２におけるＵＡＲＴ１のＴＸＤ、ＲＸＤの端子との間にＵＡＲＴ切り替え制御回路１４が設けられる。ＵＡＲＴ切り替え制御回路１４は、端末の制御装置１２からのＵＡＲＴ切り替え制御信号により、端末の制御装置１２のＵＡＲＴ１のＴＸＤ、ＲＸＤの端子を、ＣＤＭＡデータモジュール１１におけるＵＡＲＴ１のＴＸＤ、ＲＸＤの端子またはＵＡＲＴ２のＴＸＤ、ＲＸＤの端子に選択的に接続する。【選択図】      図２
2004328483.tif 000002
【特許請求の範囲】
【請求項１】
２組のＵＡＲＴインタフェース有し、ＣＤＭＡ回線への接続を行うデータモジュールと端末に設けられ１組のＵＡＲＴインタフェースを有する制御装置とを接続するデータモジュールの接続方法において、端末の制御装置からのＵＡＲＴ切り替え制御信号により、端末の制御装置のＵＡＲＴインタフェースのＴＸＤ、ＲＸＤの端子を、データモジュールにおける２組のＵＡＲＴのＴＸＤ、ＲＸＤの端子の一方の組の端子に選択的に接続することを特徴とするデータモジュールの接続方法。
【請求項２】
前記データモジュールにおける２組のＵＡＲＴインタフェースの一方は、前記端末の制御装置が前記データモジュール、通信回線を介した通信のためのインタフェースであり、他方は、前記端末の制御装置と前記データモジュールとが制御信号の授受を行うためのインタフェースであることを特徴とする請求項１記載のデータモジュールの接続方法。
【請求項３】
２組のＵＡＲＴインタフェース有し、ＣＤＭＡ回線への接続を行うデータモジュールと端末に設けられ１組のＵＡＲＴインタフェースを有する制御装置とを接続するデータモジュールの接続回路において、前記データモジュールの２組のＵＡＲＴインタフェースのそれぞれのＴＸＤ、ＲＸＤの端子と、前記端末の制御装置のＵＡＲＴインタフェースのＴＸＤ、ＲＸＤの端子との間にＵＡＲＴ切り替え制御回路を備え、該ＵＡＲＴ切り替え制御回路は、端末の制御装置からのＵＡＲＴ切り替え制御信号により、端末の制御装置のＵＡＲＴインタフェースのＴＸＤ、ＲＸＤの端子を、データモジュールにおける２組のＵＡＲＴのＴＸＤ、ＲＸＤの端子の一方の組の端子に選択的に接続することを特徴とするデータモジュールの接続回路。
【発明の詳細な説明】
【０００１】
【発明の属する技術分野】
本発明は、データモジュールの接続方法及び接続回路に係り、特に、ＣＤＭＡ回線に接続するモデム等のデータモジュールとＰＣ等の端末との接続に使用して好適なデータモジュールの接続方法及び接続回路に関する。
【０００２】
【従来の技術】
近年、ＰＣ等の端末をモデム等のデータモジュールを介して通信回線に接続し、ＰＣ等の端末を通信回線を介して外部装置に接続して使用する形態のシステムが多くなってきている。この種のシステムは、モデムと端末とをＲＳ２３２Ｃと呼ばれるシリアルインタフェースの一種であるＵＡＲＴにより接続し、ＰＣが、モデム、通信回線を介して通信回線の先に接続されている通信相手との通信を行ったり、ＰＣとモデムとの間で制御信号の授受を行ったりすることができる。
【０００３】
図４は固定電話回線に接続可能なモデム等のデータモジュールが取ることができるモードを説明する図である。固定電話回線に接続するデータモジュールが取ることができるモードとしては、図に示すように、オフラインモード（Ｏｆｆ  Ｌｉｎｅ  Ｍｏｄｅ）と、オンラインモード（Ｏｎ  Ｌｉｎｅ  Ｍｏｄｅ）と、オンラインコマンドモード（Ｏｎ  Ｌｉｎｅ  Ｃｏｍａｎｄ  Ｍｏｄｅ）との３つのモードがある。オフラインモードは、電源投入直後等で、何の機能を行っていない状態である。そして、このモードにおいて、データモジュールに接続されている端末からＵＡＲＴを介してＡＴＤコマンドによる発呼を行って、回線接続を確立した後にオンラインモードとなり、端末は、通信回線を介して通信回線の先に接続されている通信相手との通信を行うことが可能となる。
【０００４】
オンラインモードの状態で端末からデータモジュールに対してＡＴコマンド等を送信しようとする場合、すなわち、端末とデータモジュールとの間で制御信号等の授受を行おうとする場合、＋＋＋コマンドを送信する。これにより、データモジュールは、オンラインコマンドモードとなり、ＰＣとモデムとの間で制御信号の授受を行うことが可能となり、例えば、ＰＣとモデムとの間でＡＴコマンド等を用いたデータの送受を行うことができる。
【０００５】
オンラインコマンドモードの状態で、ＴＡＴコマンド等を送信すれば、データモジュールは、再びオンラインモードに移行する。また、オンラインコマンドモード、オンラインモードの状態で、ＤＴＲ信号をディセーブルすることにより、データモジュールをオフラインモードに移行させることができる。
【０００６】
前述で説明したように、固定電話回線に接続するデータモジュールは、３つのモードを備えて、ＰＣ等の端末が、データモジュール、通信回線を介して通信回線の先に接続されている通信相手との通信を行ったり、ＰＣとデータモジュールとの間で制御信号の授受を行ったりすることができる。
【０００７】
最近、ＣＤＭＡデータモジュールを使用して、ＰＣ等の端末を無線通信回線を介して外部と接続する形態のシステムも運用されるようになっている。
【０００８】
図５はＣＤＭＡによる無線通信回線に接続可能なＣＤＭＡデータモジュールが取ることができるモードを説明する図である。
【０００９】
ＣＤＭＡデータモジュールは、図に示すようにオフラインモードと、オンラインモードとの２つのモードしか取ることができない。そして、このオフラインモードにおいて、データモジュールに接続されている端末からＡＴＤコマンドによる発呼を行って、回線接続を確立した後にオンラインモードとなり、端末は、通信回線を介して通信回線の先に接続されている通信相手との通信を行うことが可能なパケットデータ通信モードとなる。しかし、ＣＤＭＡデータモジュールは、固定電話回線に接続するデータモジュールの場合のように、オンラインモード時に、＋＋＋コマンドを発してオンラインコマンドモードに移行する仕様を備えていないため、オンラインモードとなった後には、ＰＰＰパケットデータのみの授受を行うことができるだけで、ＡＴコマンド等を受け付けることができない。
【００１０】
このため、従来、ＣＤＭＡデータモジュールは、ＵＡＲＴ１、ＵＡＲＴ２の２つのインタフェースを設け、ＰＰＰパケットの授受をＵＡＲＴ１を用いて行い、無線リンク確立後にデータモジュールと端末との間でのデータの授受、例えば、端末が受信電力（アンテナ本数の表示）、送信電力等のＣＤＭＡデータモジュール内のリアルタイム情報を取得する必要がある場合、ＵＡＲＴ２を用いて行うようにされている。
【００１１】
図６は前述したような従来技術によるＣＤＭＡデータモジュールと端末とを接続するインタフェース回路を説明する図である。図６において、１１はＣＤＭＡデータモジュール、１２は端末の制御装置である。
【００１２】
図６に示すように、ＣＤＭＡデータモジュール１１と端末の制御装置１２との間を接続するインタフェースは、ＵＡＲＴ１及びＵＡＲＴ２の２組のインタフェースにより構成されている。ＵＡＲＴ１インタフェースは、ＤＴＲ（データターミナルレディー）、ＤＳＲ（データセットレディー）、ＲＩ（リング）、ＤＣＤ（データキャリアディテクト）、ＲＴＳ（リングトゥセンド）、ＣＴＳ（クリアトゥセンド）、ＴＸＤ（データ送信）、ＲＸＤ（データ受信）及び接地の各インタフェースにより構成される。また、ＵＡＲＴ２インタフェースは、ＴＸＤ（データ送信）及びＲＸＤ（データ受信）のインタフェースにより構成されている。
【００１３】
そして、ＵＡＲＴ１インタフェースは、ＲＴＳ／ＣＴＳのフロー制御を行っているが、ＵＡＲＴ２インタフェースは、フロー制御を行っていない。また、ＵＡＲＴ１インタフェースは、オフラインモードでＡＴコマンドの処理、パケット通信時にＰＰＰデータ（ＨＤＬＣパケット）の授受を行っている。
【００１４】
また、ＣＤＭＡデータモジュール１１と端末の制御装置１２との間は、電源ライン及び電源を制御するラインにより接続されるが、それらは、本発明と直接関連するものではないので、説明を省略する。
【００１５】
なお、ＵＡＲＴインタフェースを使用する無線通信に関する従来技術として、例えば、特許文献１等に記載された技術が知られている。
【００１６】
【特許文献１】
特開平１１−３５５８４８号公報
【００１７】
【発明が解決しようとする課題】
前述したように、従来技術によるＣＤＭＡモジュールは、インタフェースとして、ＵＡＲＴ１、ＵＡＲＴ２の２つのインタフェースを備えるため、端末等がこのＣＤＭＡモジュールを使用するシステムは、端末等の制御装置にＵＡＲＴ入出力デバイスを２組用意するする必要があり、このため、ＵＡＲＴ回路とコネクタピンとを２組設けなければならず、そのための費用が余分に必要となるという問題点を有している。また、端末の制御装置に使用されるハードウェアの構成によっては、ハードウェア内のＵＡＲＴリソースの２組をＣＤＭＡデータモジュール側に割り当てることができない場合があるという問題点を有している。
【００１８】
本発明の目的は、前述した従来技術の問題点を解決し、端末等の制御装置にＵＡＲＴ入出力デバイスを１組設けるだけで、データモジュールの２組のＵＡＲＴインタフェースを使用可能とし、コストの低減を図ることを可能としたデータモジュールの接続方法及び接続回路を提供することにある。
【００１９】
【課題を解決するための手段】
本発明によれば前記目的は、２組のＵＡＲＴインタフェース有し、ＣＤＭＡ回線への接続を行うデータモジュールと端末に設けられ１組のＵＡＲＴインタフェースを有する制御装置とを接続するデータモジュールの接続方法において、端末の制御装置からのＵＡＲＴ切り替え制御信号により、端末の制御装置のＵＡＲＴインタフェースのＴＸＤ、ＲＸＤの端子を、データモジュールにおける２組のＵＡＲＴのＴＸＤ、ＲＸＤの端子の一方の組の端子に選択的に接続することにより達成される。
【００２０】
また、前記目的は、前記データモジュールにおける２組のＵＡＲＴインタフェースの一方が、前記端末の制御装置が前記データモジュール、通信回線を介した通信のためのインタフェースであり、他方が、前記端末の制御装置と前記データモジュールとが制御信号の授受を行うためのインタフェースであることにより達成される。
【００２１】
さらに、前記目的は、２組のＵＡＲＴインタフェース有し、ＣＤＭＡ回線への接続を行うデータモジュールと端末に設けられ１組のＵＡＲＴインタフェースを有する制御装置とを接続するデータモジュールの接続回路において、前記データモジュールの２組のＵＡＲＴインタフェースのそれぞれのＴＸＤ、ＲＸＤの端子と、前記端末の制御装置のＵＡＲＴインタフェースのＴＸＤ、ＲＸＤの端子との間にＵＡＲＴ切り替え制御回路を備え、該ＵＡＲＴ切り替え制御回路が、端末の制御装置からのＵＡＲＴ切り替え制御信号により、端末の制御装置のＵＡＲＴインタフェースのＴＸＤ、ＲＸＤの端子を、データモジュールにおける２組のＵＡＲＴのＴＸＤ、ＲＸＤの端子の一方の組の端子に選択的に接続することにより達成される。
【００２２】
【発明の実施の形態】
以下、本発明によるデータモジュールと端末との接続方法及び回路の実施形態を図面により詳細に説明する。
【００２３】
図１は本発明が前提とするプロトコルシーケンスについて説明する図であり、本発明の実施形態を説明する前に、まず、図１により、本発明が前提とするプロトコルシーケンスについて説明する。
【００２４】
従来技術の欄で説明したように、ＵＡＲＴ１インタフェースは、ＲＴＳ／ＣＴＳのフロー制御を行っているが、ＵＡＲＴ２インタフェースは、フロー制御を行っていない。また、ＵＡＲＴ１インタフェースは、オフラインモードでＡＴコマンドの処理、パケット通信時にＰＰＰデータ（ＨＤＬＣパケット）の授受を行っている。そして、ＵＡＲＴ１インタフェースでのＡＴコマンド及びＰＰＰパケットのプロトコルシーケンスは、図１に示すように、１つのコマンド送信（Ｒｅｑｕｅｓｔ  Ｐａｃｋｅｔ）に対して、そのコマンドに対するレスポンス受信（Ｒｅｓｐｏｎｓｅ  Ｐａｃｋｅｔ）で完結するシーケンスである。例えば、ＡＴコマンドにより発呼を行う際、ＡＴＤ＃＃＃＃コマンドの送信に対して、必ずＯＫやＣＯＮＮＥＴのレスポンスを受けることになる。
【００２５】
前述したように本発明が前提とするプロトコルシーケンスは、１つのコマンド送信に対して、そのコマンドに対するレスポンス受信で完結するプロトコルシーケンスであり、複数のコマンド送信に対して、それらのコマンドに対するレスポンスが順不同で得られるようなプロトコルシーケンスではない。
【００２６】
図２は本発明の一実施形態でのＣＤＭＡデータモジュールと端末とを接続するインタフェース回路を説明する図、図３は本発明の一実施形態でのプロトコルシーケンスの例について説明する図である。図２において、１３はＵＡＲＴ切り替え制御回路、１４〜１７はゲート回路であり、他の符号は図６の場合と同一である。
【００２７】
図２に示す本発明の実施形態でのＣＤＭＡデータモジュール１１と端末の制御装置１２との間を接続するインタフェースは、図６を参照して説明した従来技術におけるＣＤＭＡデータモジュール１１におけるＵＡＲＴ１のＴＸＤ、ＲＸＤの端子及びＵＡＲＴ２のＴＸＤ、ＲＸＤの端子と、端末の制御装置１２におけるＵＡＲＴ１のＴＸＤ、ＲＸＤの端子との間にＵＡＲＴ切り替え制御回路１４を設けて構成される。そして、端末の制御装置１２にＵＡＲＴ切り替え制御回路１４内の複数のゲート回路を制御するＵＡＲＴ切り替え制御信号を出力する端子を設け、端末の制御装置１２のＵＡＲＴ１のＴＸＤ、ＲＸＤの端子を、ＣＤＭＡデータモジュール１１におけるＵＡＲＴ１のＴＸＤ、ＲＸＤの端子またはＵＡＲＴ２のＴＸＤ、ＲＸＤの端子に選択的に接続可能としたものである。
【００２８】
ＵＡＲＴ切り替え制御回路１４は、ＣＤＭＡデータモジュール１１におけるＵＡＲＴ１のＴＸＤ、ＲＸＤの端子を端末の制御装置１２のＵＡＲＴ１のＴＸＤ、ＲＸＤの端子に接続するゲート回路１４、１５と、ＣＤＭＡデータモジュール１１におけるＵＡＲＴ２のＴＸＤ、ＲＸＤの端子を端末の制御装置１２のＵＡＲＴ１のＴＸＤ、ＲＸＤの端子に接続するゲート回路１６、１７とを備えて構成される。そして、ゲート回路１４、１５と、ゲート回路１６、１７とは、端末の制御装置１２から出力される“１”、“０”のＵＡＲＴ切り替え制御信号により排他的に、すなわち、これらの一方がＣＤＭＡデータモジュール１１と端末の制御装置１２とを接続しているとき、他方は、接続を遮断するように制御される。
【００２９】
次に、前述したように構成されるインタフェースを持つＣＤＭＡデータモジュール１１と端末の制御装置１２との間での通信におけるプロトコルシーケンスの例を図３を参照して説明する。
【００３０】
いま、端末の制御装置１２が、ＵＡＲＴ切り替え信号によりＵＡＲＴ切り替え制御回路１３を端末の制御装置１２のＵＡＲＴ１のＴＸＤ、ＲＸＤの端子をＣＤＭＡデータモジュールのＵＡＲＴ１のＴＸＤ、ＲＸＤの端子に接続（シーケンス３０１）し、ＵＡＲＴ１のＲＴＳ信号をイネーブルとし、ＵＡＲＴ１用のボーレートに変更し、ＣＤＭＡデータモジュールのＵＡＲＴ１を使用して、ＰＰＰリクエストパケットデータを送信（シーケンス３０２）し、そのレスポンス（応答）パケットを受信（シーケンス３０３）したものとする。
【００３１】
前述の時点で、端末の制御装置１２が、ＣＤＭＡデータモジュール１１のＵＡＲＴ２を使用して、特殊モニタコマンド通信を行おうとするものとする。この場合、端末の制御装置１２は、まず、ＵＡＲＴ切り替え信号によりＵＡＲＴ切り替え制御回路１３を端末の制御装置１２のＵＡＲＴ１のＴＸＤ、ＲＸＤの端子をＣＤＭＡデータモジュールのＵＡＲＴ２のＴＸＤ、ＲＸＤの端子に接続（シーケンス３０４）し、ＵＡＲＴ１のＲＴＳ信号をディセーブルとし、ＵＡＲＴ２用のボーレートを、例えば、ＵＡＲＴ２用の１１５．２Ｋｂｐｓに変更する。これにより、ＣＤＭＡデータモジュール１１からの送信要求が禁止状態にされ、以後、ＣＤＭＡデータモジュール１１は、端末の制御装置１２のＵＡＲＴ１によるＰＰＰパケットデータ送信を保留する。
【００３２】
次に、端末の制御装置１２は、ＣＤＭＡデータモジュール１１のＵＡＲＴ２に対して、特殊モニタコマンドを使用して各種リアルタイムモニタ情報を取得する。図示例では、モニタ特殊リクエストパケット１の送信とこれに対するレスポンスパケット１の受信（シーケンス３０５、３０６）、それに続くモニタ特殊リクエストパケット２の送信とこれに対するレスポンスパケット２の受信（シーケンス３０７、３０８）を示している。
【００３３】
その後、再び、ＵＡＲＴ切り替え制御信号をＵＡＲＴ１側に切り替えた後に、ＵＡＲＴ１のＲＴＳ制御線をイネーブル状態にすることにより、ＣＤＭＡデータモジュール１１のＵＡＲＴ１からＰＰＰパケットデータの送信が、前述したシーケンス３０１〜３０３の場合と同様に可能となる（シーケンス３０９〜３１３）。
【００３４】
前述した本発明の実施形態によれば、端末等の制御装置にＵＡＲＴ入出力デバイスを１組設けるだけで、データモジュールの２組のＵＡＲＴインタフェースを使用可能とし、コストの低減を図ることができ、また、端末等の制御装置に使用されるハードウェア内でＵＡＲＴリソースが足りなくなるようなことを防止することができる。
【００３５】
【発明の効果】
以上説明したように本発明によれば、データモジュールと端末の制御装置と接続を、低コストで行うことができ、端末等の制御装置に使用されるハードウェア内でＵＡＲＴリソースが足りなくなるようなことを防止することができる。
【図面の簡単な説明】
【図１】本発明が前提とするプロトコルシーケンスについて説明する図である。
【図２】本発明の一実施形態でのＣＤＭＡデータモジュールと端末とを接続するインタフェース回路を説明する図である。
【図３】本発明の一実施形態でのプロトコルシーケンスの例について説明する図である。
【図４】固定電話回線に接続可能なモデム等のデータモジュールが取ることができるモードを説明する図である。
【図５】ＣＤＭＡによる無線通信回線に接続可能なＣＤＭＡデータモジュールが取ることができるモードを説明する図である。
【図６】前述したような従来技術によるＣＤＭＡデータモジュールと端末とを接続するインタフェース回路を説明する図である。
【符号の説明】
１１  ＣＤＭＡデータモジュール
１２  端末の制御装置
１３  ＵＡＲＴ切り替え制御回路
１４〜１７  ゲート回路
【図１】
2004328483.tif 000003
【図２】
2004328483.tif 000004
【図３】
2004328483.tif 000005
【図４】
2004328483.tif 000006
【図５】
2004328483.tif 000007
【図６】
2004328483.tif 000008